(57)【特許請求の範囲】
【請求項１】
金属箔の一端に電極を溶接するとともに、前記金属箔の他端に外部リード棒を溶接して、前記金属箔、前記電極、および前記外部リード棒を備えるマウントを形成し、
外径が封体容器の端部の内径より小さなガラス管の内部に前記マウントを挿入し、
前記金属箔から前記電極の先端側に離間した第１の位置で前記ガラス管を縮径し、
前記第１の位置から少なくとも前記金属箔の他端までに対応する前記ガラス管を前記マウントに封着し、
前記第１の位置から先で前記電極を前記ガラス管から突出させてガラス管封着済マウントを形成し、
前記封体容器の端部に前記ガラス管封着済マウントを前記電極の先端から挿入し、
前記端部を縮径して前記ガラス管封着済マウントの前記ガラス管に封着する
高圧放電ランプの製造方法。
【請求項２】
前記ガラス管を縮径することにより、前記ガラス管封着済マウントに封着された前記ガラス管の電極側端部を滑らかなテーパ面にすることを特徴とする請求項１に記載の製造方法。
【請求項３】
前記ガラス管を縮径する際、前記第１の位置で前記ガラス管を加熱するとともに前記第１の位置を境にして前記ガラス管を引っ張ることを特徴とする請求項１または２に記載の製造方法。
【請求項４】
前記封体容器は、一対の前記端部と、前記端部同士の間において前記端部よりも外形が太く形成された中間部とを有しており、前記端部と前記中間部との間における境界部の外形が前記端部よりも細くくびれていることを特徴とする請求項１から３のいずれか１項に記載の製造方法。
【請求項５】
前記境界部の肉厚は他の部分の肉厚よりも薄いことを特徴とする請求項４に記載の製造方法。
【請求項６】
前記境界部を加熱するとともに前記境界部を境にして前記封体容器を引っ張ることにより、前記封体容器における前記境界部の肉厚を他の部分の肉厚よりも薄くすることを特徴とする請求項４または５に記載の製造方法。
【請求項７】
前記封体容器の前記端部を縮径して前記ガラス管封着済マウントにおける前記ガラス管に封着する際、前記境界部を越えて前記中間部まで縮径することを特徴とする請求項４から６のいずれか１項に記載の製造方法。
【請求項８】
発光管部と封止部とを有する高圧放電ランプの前記封止部内に、内部に金属箔を含むガラス管が埋設されており、
前記金属箔の一端に取り付けられた電極の先端が前記発光管部内に導入されており、
前記金属箔の他端に取り付けられた外部リード棒が前記封止部外に導出されている高圧放電ランプの封止部構造において、
前記電極は軸部を有しており、
前記軸部の表面から、前記ガラス管における前記電極側端の周端までの距離が０．１ｍｍ以下であることを特徴とする
高圧放電ランプの封止部構造。
【発明の詳細な説明】
【技術分野】
【０００１】
本発明は、内部空間の耐圧性能を向上させることのできる高圧放電ランプの製造方法および高圧放電ランプの封止構造に関する。
【背景技術】
【０００２】
高圧放電ランプは、１個のランプから得られる光量が非常に多いといった特性を有しており、プロジェクター等に広く用いられている。高圧放電ランプは、一般に、石英ガラス製の封体容器と、一対のマウントとで構成されている。当該マウントは、電極と金属箔と外部リード棒とで構成されている。金属箔の一端に電極が溶接され、当該金属箔の他端に外部リード棒が溶接されることによってマウントが形成されている。
【０００３】
電極同士が向かい合うようにして、一対のマウントを封体容器内に挿入した後、当該封体容器の両端部をそれぞれマウントに封着させる。これにより、封体容器の両端部に形成された一対の封止部と、これら封止部の間において一対の電極が対向配置された内部空間を有する発光管部とが形成される。
【０００４】
当該内部空間には、水銀が封入されており、一対のマウント間に高電圧を印加してアーク放電を生じさせることにより、蒸発した水銀が励起された光を発するようになっている。
【０００５】
高圧放電ランプは、点灯時における内部空間の圧力を高くすることで、発光効率（高圧放電ランプに供給する電力当たりの発光量）が向上する。したがって、高圧放電ランプの封体容器における封止部の耐圧性能を向上させることは重要な課題であり、従前より、封止部の耐圧性能を向上させる技術が開発されている（例えば、特許文献１）。
【０００６】
特許文献１に開示された技術では、封止部の耐圧性能を向上させることを目的として、金属箔が予めガラス管で覆われたマウントを使用する。このようなマウントを使用することにより、封体容器によるマウントの封止は、ガラス同士である封体容器の端部とガラス管との間で行われる。このため、異種材質であるガラスと金属との間で封止が行われる場合に比べて気密性の高い融着を実現することができる。これにより、封止部の耐圧性能を向上させることができる。
【先行技術文献】
【特許文献】
【０００７】
【特許文献１】特開２００１−２３５７０号公報
【発明の概要】
【発明が解決しようとする課題】
【０００８】
近年、高圧放電ランプの発光効率のさらなる向上が求められており、点灯時における発光管部の内部空間のさらなる高圧化が必要になってきている。このように、さらなる高圧化を実現しようとすると、特許文献１に開示された技術（以下、単に「従来技術」という。）にも高圧化を阻む問題点が存在することがわかってきた。
【０００９】
すなわち、従来技術では、ガラス管付きマウント４を製造する際、図１２に示すように、マウント１をガラス管２内に挿入した後、ガラス管２の金属箔３に一致する箇所を外部から加熱して封着させる。然る後、耐圧性能テストを行い、ガラス管２の不要部分を切り取っていた。
【００１０】
このようにして形成したガラス管付きのマウント４を、図１３に示すように、封体容器５の端部に挿入し、当該封体容器５をガラス管付きマウント４のガラス管２に封着させる（図１４を参照）。このとき、図１５に示すように、ガラス管２の電極側端の径Ｄ１と電極Ｐの軸径Ｄ２との差が大きいことから、ガラス管２の先端面と封体容器５の内表面との間でエッジ６（入り隅部）が形成される。発光管部７の内部空間８が高圧になると、このエッジ６が構造的な起点となって、封止部９の気密が破れるおそれがあった。つまり、エッジ６は、高圧放電ランプにおける耐圧欠陥部となるおそれがあった。
【００１１】
本発明は、このような従来技術の問題点に鑑みて開発されたものである。それゆえに本発明の主たる課題は、ガラス管付きのマウントを用いて高圧放電ランプを形成したときにエッジ（入り隅部）が形成されにくくして、内部空間の耐圧性能をより向上させることのできる高圧放電ランプを提供することにある。
【課題を解決するための手段】
【００１２】
本発明の一局面によれば、
金属箔の一端に電極を溶接するとともに、金属箔の他端に外部リード棒を溶接して、金属箔、電極、および外部リード棒を備えるマウントを形成し、
外径が封体容器の端部の内径より小さなガラス管の内部にマウントを挿入し、
金属箔から電極の先端側に離間した第１の位置でガラス管を縮径し、
第１の位置から少なくとも金属箔の他端までに対応するガラス管をマウントに封着し、
第１の位置から先で電極をガラス管から突出させてガラス管封着済マウントを形成し、
封体容器の端部にガラス管封着済マウントを電極の先端から挿入し、
当該端部を縮径してガラス管封着済マウントのガラス管に封着する
高圧放電ランプの製造方法が提供される。
【００１３】
ガラス管を縮径することにより、ガラス管封着済マウントに封着されたガラス管の電極側端部を滑らかなテーパ面にするのが好適である。
【００１４】
ガラス管を縮径する際、第１の位置で前記ガラス管を加熱するとともに第１の位置を境にしてガラス管を引っ張るのが好適である。
【００１５】
封体容器は、一対の端部と、端部同士の間において端部よりも外形が太く形成された中間部とを有しており、封体容器の端部と中間部との間における境界部の外形を端部よりも細くくびれさせた封体容器を使用するのが好適である。
【００１６】
また、境界部の肉厚が他の部分の肉厚よりも薄く形成された封体容器を使用するのが好適である。
【００１７】
また、境界部を加熱するとともに当該境界部を境にして封体容器を引っ張ることにより、封体容器における境界部の肉厚を他の部分の肉厚よりも薄くするのが好適である。
【００１８】
また、封体容器の端部を縮径してガラス管封着済マウントにおけるガラス管に封着する際、境界部を越えて中間部まで縮径するのが好適である。
【００１９】
本発明の他の局面では、
発光管部と封止部とを有する高圧放電ランプの封止部内に、内部に金属箔を含むガラス管が埋設されており、
金属箔の一端に取り付けられた電極の先端が発光管部内に導入されており、
金属箔の他端に取り付けられた外部リード棒が封止部外に導出されている高圧放電ランプの封止部構造において、
電極は軸部を有しており、
軸部の表面から、ガラス管における電極側端の周端までの距離が０．１ｍｍ以下であることを特徴とする
高圧放電ランプの封止部構造。
【発明の効果】
【００２０】
本発明によれば、ガラス管封着済マウントを形成する際、予めガラス管を縮径させてから当該ガラス管をマウントに封着させるようになっている。これにより、ガラス管封着済マウントにおけるガラス管の電極側端の径は、電極の軸径により近くなり、露出している電極の表面とガラス管の電極側端との段差が小さくなる。すると、ガラス管封着済マウントを封体容器に挿入し、封体容器をガラス管封着済マウントに封着させたとき、ガラス管の電極側端の端面と封体容器の内面との間でエッジ（入り隅部）ができにくくなる。したがって、耐圧欠陥部となるおそれのあるエッジが生じる可能性を低減して、より高圧で点灯できる高圧放電ランプを得ることができる。
【図面の簡単な説明】
【００２１】
【図１】本発明が適用された高圧放電ランプの一例を示す断面図である。
【図２】本発明が適用された高圧放電ランプの製造方法の一例を説明する図である。
【図３】本発明が適用された高圧放電ランプの製造方法の一例を説明する図である。
【図４】本発明が適用された高圧放電ランプの製造方法の一例を説明する図である。
【図５】本発明が適用された高圧放電ランプの製造方法の一例を説明する図である。
【図６】本発明が適用された高圧放電ランプの製造方法の一例を説明する図である。
【図７】本発明が適用された高圧放電ランプの製造方法の一例を説明する断面図である。
【図８】本発明が適用された高圧放電ランプの製造方法の一例を説明する断面図である。
【図９】本発明が適用された高圧放電ランプの製造方法の一例を説明する断面図である。
【図１０】本発明が適用された高圧放電ランプの製造方法の一例を説明する断面図である。
【図１１】本発明が適用された高圧放電ランプの一例を示す部分拡大断面図である。
【図１２】従来技術による高圧放電ランプの製造方法を説明する図である。
【図１３】従来技術による高圧放電ランプの製造方法を説明する断面図である。
【図１４】従来技術による高圧放電ランプの製造方法を説明する断面図である。
【図１５】従来技術による高圧放電ランプの一例を示す部分拡大断面図である。
【発明を実施するための形態】
【００２２】
（高圧放電ランプ１０の構造）
以下、本発明に係る方法で製造された高圧放電ランプ１０の実施形態について説明する。高圧放電ランプ１０は、図１に示すように、封体容器１２と、一対のガラス管封着済マウント１４とを備えている。
【００２３】
封体容器１２は、発光管部１６と、当該発光管部１６から外方へ延出する一対の封止部１８とを有している。これら発光管部１６および封止部１８は、石英ガラスで一体的に形成されている。発光管部１６内には、封止部１８にて密閉された内部空間２０が形成されている。また、封止部１８内には、ガラス管封着済マウント１４が埋設されている。さらに、内部空間２０には、所定の量の水銀５０、および、ハロゲン５２（例えば、臭素）が封入されている。
【００２４】
各ガラス管封着済マウント１４は、それぞれ、マウント２２と、ガラス管２４とを備えている。マウント２２は、電極２６と、金属箔２８と、外部リード棒３０とを備えている。ガラス管２４は、マウント２２の金属箔２８全体と、電極２６の一部および外部リード棒３０の一部を覆うようにしてマウント２２に封着されている。
【００２５】
電極２６は、タングステンで形成された細棒状部材であり、その一端が金属箔２８の一端に溶接等の手段で物理的／電気的に接続されており、他端が封体容器１２の発光管部１６における内部空間２０に突出している。また、一対の電極２６の他端同士は、内部空間２０内で互いに対向するように配置されている。なお、本実施形態の電極２６は、その先端部にタングステンワイヤが巻き付けられて太径に形成されている。本明細書では、この太径部を電極部２６ａといい、それ以外の部分を軸部２６ｂという。
【００２６】
金属箔２８は、モリブデンで形成された短冊状の薄板部材であり、上述のように、その一端に電極２６の一端が接続されており、他端に外部リード棒３０の一端が物理的／電気的に接続されている。
【００２７】
外部リード棒３０は、導電性材料で形成された細棒状部材であり、その一端が上述のように金属箔２８に接続されており、他端が外部に向けて突出している。
【００２８】
高圧放電ランプ１０に設けられた一対の外部リード棒３０間に所定の高電圧を印加すると、発光管部１６の内部空間２０に配置された一対の電極２６間（より正確には、電極部２６ａ間）で開始したグロー放電が次にアーク放電に移行し、このアークによって蒸発/励起された水銀５０から光が放射される。
【００２９】
（高圧放電ランプ１０の製造方法）
次に、本実施形態に係る高圧放電ランプ１０の製造方法について説明する。最初に、図２に示すように、金属箔２８の一端に電極２６の一端を溶接するとともに、当該金属箔２８の他端に外部リード棒３０の一端を溶接する。これにより、マウント２２が形成される。
【００３０】
然る後、図３に示すように、外径が封体容器１２の端部の内径よりも小径のガラス管２４にマウント２２を挿入する。なお、ガラス管２４の肉厚は、封体容器１２の端部（封止部１８となる部分）の肉厚よりも薄く形成されている。
【００３１】
ガラス管２４にマウント２２を挿入し、ガラス管２４内を負圧にした後、図４に示すように、金属箔２８から電極２６の先端（電極部２６ａ）側に離間した第１の位置Ｆでガラス管２４を縮径する。具体的には、ガラス管２４における第１の位置Ｆをバーナーやヒーター等で加熱して当該位置のガラス管２４を軟化させる。ガラス管２４を軟化させた後、第１の位置Ｆを境にしてガラス管２４を（図中上下方向に）引っ張ることにより、第１の位置Ｆでガラス管２４が縮径する。なお、ガラス管２４の縮径は、この方法に限らず、ガラス管２４における第１の位置Ｆを加熱した後、第１の位置Ｆを外部から加えた力で挟んで（ピンチして）行ってもよい。また、ガラス管２４を加熱した後、縮径後の形状に形成した型枠で挟んで縮径すること、第１の位置Ｆにローラーを押し当てて縮径すること、加熱によってシュリンクさせてガラス管２４を縮径すること、あるいは、ガラス管２４を切削して縮径することが考えられる。
【００３２】
ガラス管２４を縮径させた後、図５に示すように、第１の位置Ｆから、外部リード棒３０まで（より正確には、金属箔２８から外部リード棒３０の先端（他端）側に離間した第２の位置Ｓまで）のガラス管２４をマウント２２に封着させる。封着の具体例としては、封着させる部分を加熱することによってガラス管２４を収縮させる「シュリンクシール」や、封着させる部分を加熱しつつピンチして、当該部分を偏平にする「ピンチシール」等の封着手段が考えられる。なお、封着時におけるガラス管２４と金属箔２８との接着性を向上させるために、金属箔２８の表面に予め酸化皮膜を形成しておいてもよい。
【００３３】
マウント２２にガラス管２４を封着させた後、図６に示すように、第１の位置Ｆでガラス管２４を切断することにより、第１の位置Ｆから先で電極２６をガラス管２４から突出させる。また、外部リード棒３０がガラス管２４から突出するように、第２の位置Ｓよりも外部リード棒３０の先端（他端）側の適当な位置でガラス管２４をダイヤモンドカッター等で切断する。以上により、ガラス管封着済マウント１４が完成する。なお、本実施形態の製造方法によれば、ガラス管２４を縮径させた後に当該縮径部分を切断しているので、切断すべき面積が従来に比べて小さいことから、切断部分にクラックやガラス欠けが発生しにくくなっている。また、切断面積が従来に比べて小さいことから、カット時の振動、衝撃が小さくなり、従来であれば１０〜２０％の率で発生していた電極が折れる不具合をほぼ解消できる。さらに言えば、カッターのような接触式の切断方法ではなく、非接触式のレーザーカット等を用いることが出来るようになる。従来のように縮径していない状態のガラス管をレーザーカットしようとすると、当該ガラス管の径が大きいことから、非常に大きなエネルギーを要するとともに、テーパーカット形状を形成しにくいという問題があった。しかし、予め縮径されたガラス管であれば、少ないエネルギーで容易に切断できる。また、切断時の衝撃も無くなるので、さらにクラックが入りにくくなる。
【００３４】
次に、完成したガラス管封着済マウント１４を挿入する封体容器１２を用意する。図７に示すように、封体容器１２は、高圧放電ランプ１０が完成したときに発光管部１６および封止部１８となる、中間部３２と、当該中間部３２よりも細径の円筒形状である一対の端部３４とを有している。一対の端部３４は中間部３２から突出するようにして、互いに一体的に形成されている。また、中間部３２は、両端部３４の間において、その外形が端部３４よりも太く形成された部分をいう。なお、中間部３２の外形は、本実施形態のような略球状を含むあらゆる形状が使用可能である。
【００３５】
封体容器１２には、一方の端部３４の外端から、中間部３２の内部を通って他方の端部３４の外端に至る連通孔３６が形成されている。また、中間部３２における連通孔３６の径は、中間部３２の中心に対応する位置において最も大きくなるように形成されている（最大部Ｍａｘ）。さらに、中間部３２における連通孔３６の径は、中間部３２の中心から離間するにしたがって滑らかに小さくなっていくように形成されている。このため、中間部３２と端部３４とが互いに接合する部分（以下、当該部分を「境界部３８」という。）において、連通孔３６の径は最も細く形成されている（最細部Ｍｉｎ）。換言すれば、封体容器１２の肉厚は、この境界部３８において最も厚く形成されている。
【００３６】
基本的に、各端部３４における連通孔３６の径は、ガラス管封着済マウント１４を挿入することができるように、当該ガラス管封着済マウント１４の外径よりも大きく形成されているが、上述のように、封体容器１２の境界部３８における連通孔３６の最細部Ｍｉｎはこの限りでなく、最細部Ｍｉｎの径は電極２６（特に電極部２６ａ）を通すことのできる大きさであればよい。また、この最細部Ｍｉｎから端部３４の外端に向けて、連通孔３６の径が滑らかに大きくなるテーパ部Ｔが形成されている。
【００３７】
次に、図８に示すように、境界部３８で封体容器１２を縮径させる。例えば、このような封体容器１２の境界部３８をバーナーやヒーター等を用いて加熱して、境界部３８の石英ガラスを軟化させる。境界部３８を軟化させた後、当該境界部３８を境にして封体容器１２を引っ張ることにより、境界部３８で封体容器１２を縮径させる。
【００３８】
これにより、封体容器１２は、中間部３２と端部３４との間における境界部３８の外形が端部３４よりも細く形成された「くびれた形状」となる。このように、封体容器１２をその境界部３８でくびれさせることにより、当該境界部３８における封体容器１２の厚さが縮径前と比べて薄くなる。
【００３９】
なお、図８に示す封体容器１２に代えて、境界部３８における肉厚を中間部３２や端部３４の肉厚よりも薄く形成した封体容器を使用することが好適である。この方法に限らず、封体容器１２における境界部３８を加熱した後、境界部３８を外部から加えた力で挟んで（ピンチして）縮径してもよい。また、境界部３８を加熱した後、縮径後の形状に形成した型枠で挟んで縮径すること、境界部３８の外側にローラーを押し当てて縮径すること、加熱によってシュリンクさせて境界部３８を縮径すること、あるいは、境界部３８の外側を切削して縮径することが考えられる。
【００４０】
このようにして形成した封体容器１２に、図９に示すように、電極２６を先にしてガラス管封着済マウント１４を封体容器１２の連通孔３６に挿入する。電極２６の先端が所定の位置にくるように、封体容器１２とガラス管封着済マウント１４との位置を調節した後、ガラス管封着済マウント１４を挿入した方の端部３４をガラス管封着済マウント１４に封着する。封着手段としては、上述の「シュリンクシール」や「ピンチシール」等が考えられる。
【００４１】
また、図１０に示すように、封着のための加熱は、ガラス管封着済マウント１４のガラス管２４に対応する位置だけでなく、境界部３８を越えて、中間部３２における、より電極２６の先端に近い位置まで実施するのが好ましい。これにより、ガラス管２４から突出した電極２６の先端により近い位置まで封体容器１２を締めていくことが可能となり、高圧放電ランプ１０の発光管部１６における内部空間２０の容積を小さくすることができる。
【００４２】
一方のガラス管封着済マウント１４を一方の端部３４に封着した後、他方の連通孔３６を介して内部空間２０に所定量の水銀５０、ハロゲン５２、その他の物質を充填し、然る後、他方のガラス管封着済マウント１４を他方の端部３４に封着する。以上により、本実施形態の高圧放電ランプ１０が完成する。
【００４３】
本実施形態に係る高圧放電ランプ１０の製造方法によれば、ガラス管封着済マウント１４を形成する際、予めガラス管２４を縮径させてから当該ガラス管２４をマウント２２に封着させるようになっている。このため、図１１に示すように、ガラス管２４の電極２６側端の径Ｄ５は、電極２６の軸部２６ｂの径Ｄ６により近くなり、露出している電極２６（軸部２６ｂ）の表面と、ガラス管２４の電極２６側端との段差がより小さくなる。なお、従来の技術であれば、電極Ｐの軸表面から、ガラス管２の電極側端の周端までの距離Ｋ１（図１５参照）は、０．４ｍｍ程度まで小さくするのが限界であったが、本実施形態の製造方法によれば、電極２６の軸部２６ｂの表面から、ガラス管２４の電極２６側端の周端までの距離Ｋ２（図１１参照）を０．１ｍｍ以下にすることができる。
【００４４】
これにより、ガラス管封着済マウント１４を封体容器１２に挿入し、封体容器１２の端部３４から中間部３２の一部までをガラス管封着済マウント１４に封着させたとき、ガラス管２４の電極２６側端の端面と連通孔３６の表面との間でエッジＥ（入り隅部）ができにくくなる。仮に、エッジＥが生じた場合、当該エッジＥが構造的な起点となって、封止部１８のシールが破れるおそれがある。つまり、エッジＥは、高圧放電ランプ１０の発光管部１６における内部空間２０の耐圧欠陥部となるおそれがある。
【００４５】
加えて、本実施形態のように、ガラス管２４を加熱した後、第１の位置Ｆを境にして当該ガラス管２４を引っ張ることによってガラス管２４を縮径した場合、ガラス管２４の電極２６側端部は、従来のものに比べて、テーパ部分が長く、表面が滑らかで、かつ、より尖った形状になる。
【００４６】
これにより、封着時に、封体容器１２における同じく滑らかな連通孔３６の表面と、ガラス管２４の電極２６側端部の表面との馴染みが良くなり、両表面の密着性がさらに向上する。
【００４７】
したがって、本実施形態に係る高圧放電ランプ１０の製造方法によれば、耐圧欠陥部となるおそれのあるエッジＥが生じる可能性が低減するとともに、封体容器１２の連通孔３６の表面とガラス管２４の電極２６側端部の表面との密着性が向上する。このため、発光管部１６の内部空間２０の気密性を高めて、より高圧で点灯できる高圧放電ランプ１０を製造することができる。
【００４８】
また、本実施形態では、封体容器１２の境界部３８を予め縮径して、当該境界部３８における封体容器１２の厚さを薄くするようになっている。これにより、封体容器１２の連通孔３６にガラス管封着済マウント１４を挿入し、封体容器１２を当該ガラス管封着済マウント１４に封着させる際に、封体容器１２を加熱する時間（特に、ガラス管２４の電極２６側端付近に対応する封体容器１２を加熱する時間）を短くすることができる。加えて、縮径後における境界部３８の肉厚を中間部３２や端部３４の肉厚よりも薄く形成することにより、さらに加熱する時間を短くすることができる。
【００４９】
このように、封着に際して封体容器１２の加熱時間を短くすることにより、封着部分に熱の影響によるクラックが入る可能性をより低くすることができる。さらに、従来と同じ加熱時間にすれば、より電極２６の先端に近い位置まで封体容器１２の封着を行うことができるようになり、内部空間２０の容積を小さくすることができる。これにより、内部空間２０で点灯中の温度が最も低くなる、一対の電極間（アークポイント）から最も遠い「電極の付け根」部分の容積が小さくなるので、点灯中における内部空間２０の平均温度を上げることができるとともに、内部空間２０における最冷点の温度をより高くすることができる。これにより、内部空間２０でより多くの水銀５０を蒸発させて、より多くの発光量を得ることができる。
【００５０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００５１】
１０…高圧放電ランプ、１２…封体容器、１４…ガラス管封着済マウント、１６…発光管部、１８…封止部、２０…内部空間、２２…マウント、２４…ガラス管、２６…電極、２８…金属箔、３０…外部リード棒、３２…中間部、３４…端部、３６…連通孔、３８…境界部、５０…水銀、５２…ハロゲン、Ｆ…第１の位置、Ｓ…第２の位置、Ｔ…テーパ部、Ｅ…エッジ、Ｐ…電極
【図１】
0005918811.tif 000002
【図２】
0005918811.tif 000003
【図３】
0005918811.tif 000004
【図４】
0005918811.tif 000005
【図５】
0005918811.tif 000006
【図６】
0005918811.tif 000007
【図７】
0005918811.tif 000008
【図８】
0005918811.tif 000009
【図９】
0005918811.tif 000010
【図１０】
0005918811.tif 000011
【図１１】
0005918811.tif 000012
【図１２】
0005918811.tif 000013
【図１３】
0005918811.tif 000014
【図１４】
0005918811.tif 000015
【図１５】
0005918811.tif 000016